(57)【要約】【課題】取扱いが容易であり、子供であっても容易に係合させることが可能な組立家具用係合部材、およびこれを備えた組立家具キットを提供する。【解決手段】組立家具を構成する板材に係合される組立家具用係合部材であって、前記板材の貫通穴に挿通されるボルトと、前記ボルトに螺合するナットと、を少なくとも有し、前記ボルトおよび前記ナットは、全体が樹脂で形成され、前記ボルトはボルト頭頂部と該ボルト頭頂部から延びるボルトネジ部からなり、前記ボルトネジ部の外周面に形成される外ネジは、外径とピッチとの比率が２：１〜４：１の範囲であり、前記ナットの内ネジの内径とピッチとの比率が２：１〜４：１の範囲であることを特徴とする。【選択図】図２
2020008152.tif 000002
【特許請求の範囲】
【請求項１】
組立家具を構成する板材に係合される組立家具用係合部材であって、
前記板材の貫通穴に挿通されるボルトと、前記ボルトに螺合するナットと、を少なくとも有し、
前記ボルトおよび前記ナットは、全体が樹脂で形成され、
前記ボルトはボルト頭頂部と該ボルト頭頂部から延びるボルトネジ部からなり、前記ボルトネジ部の外周面に形成される外ネジは、外径とピッチとの比率が２：１〜４：１の範囲であり、
前記ナットの内ネジの内径とピッチとの比率が２：１〜４：１の範囲であることを特徴とする組立家具用係合部材。
【請求項２】
前記ボルトネジ部の外径と、前記ボルトのボルト頭頂部の最大径との比率が１：２〜２：３の範囲であることを特徴とする請求項１記載の組立家具用係合部材。
【請求項３】
前記ボルトの外ネジは、外径が８〜２４ｍｍの範囲内であり、かつピッチが４〜６ｍｍの範囲内であることを特徴とする請求項１または２記載の組立家具用係合部材。
【請求項４】
前記ボルトは、一端が前記ボルト頭頂部に露出し前記ボルトネジ部の内部に延びる空洞を有することを特徴とする請求項１ないし３いずれか一項記載の組立家具用係合部材。
【請求項５】
前記ナットは、ナット頭頂部と、該ナット頭頂部から延びるナットネジ部とを有し、前記ナットネジ部の内部に前記内ネジが形成されていることを特徴とする請求項１ないし４いずれか一項記載の組立家具用係合部材。
【請求項６】
前記ボルトの前記外ネジ、および前記ナットの前記内ネジは、ネジ山の断面が半円形を成すことを特徴とする請求項１ないし５いずれか一項記載の組立家具用係合部材。
【請求項７】
前記ボルトの前記ボルト頭頂部は、外形が六角柱、四角柱、三角柱、円柱のうちのいずれになるように形成されていることを特徴とする請求項１ないし６いずれか一項記載の組立家具用係合部材。
【請求項８】
前記ボルトは穴付きボルトであることを特徴とする請求項１ないし７いずれか一項記載の組立家具用係合部材。
【請求項９】
前記組立家具用係合部材は、全体が樹脂で形成され前記板材どうしを接続する接続具を更に有し、前記接続具は、前記ボルト頭頂部の外形に沿った形状で凹み、前記ボルト頭頂部の少なくとも一部を受け入れる溝部と、該溝部の底面に形成され前記ボルトネジ部を貫通可能な穴部とを有するボルト受け部を備えることを特徴とする請求項１ないし８いずれか一項記載の組立家具用係合部材。
【請求項１０】
前記接続具は、複数の前記板材どうしが互いに直交するように固定することを特徴とする請求項９記載の組立家具用係合部材。
【請求項１１】
請求項１ないし１０いずれか一項記載の組立家具用係合部材と、前記板材とを少なくとも備えたことを特徴とする組立家具キット。
【請求項１２】
前記板材には複数の前記貫通穴が配列形成され、前記貫通穴どうしの形成ピッチは５０〜１１５ｍｍの範囲であることを特徴とする請求項１１記載の組立家具キット。
【請求項１３】
前記組立家具用係合部材は、前記ボルト頭頂部の形状が異なる３種類以上の前記ボルトを有することを特徴とする請求項１１または１２記載の組立家具キット。
【請求項１４】
前記組立家具用係合部材は、互いに異なる３色以上の色でそれぞれ着色された複数の前記ボルトを含むことを特徴とする請求項１１ないし１３いずれか一項記載の組立家具キット。
【発明の詳細な説明】
【技術分野】
【０００１】
本発明は、組立家具の板材に係合される係合部材、およびこれを備えた組立家具キットに関する。
【背景技術】
【０００２】
複数の穴が配列形成された板材と、ネジ、ボルト、Ｌ字金具などの係合部材とを用いて、複数の板材を任意の形状に組み合わせて、棚や作業台などを組立可能な組立家具キットは、ホームセンターなどで広く販売されている。
【０００３】
例えば、特許文献１には、多数の通孔が形成されたパンチングボードを、ボルト等の連結具と止め金具によって連結した組立家具が開示されている。また、特許文献２には、互いに係合可能な凸部と凹部とを備えた部材を係合させることによって、任意の形状に組み立てることが可能な組立材が開示されている。
【０００４】
このような組立家具を、子供向けの知育用品として用いることが考えられている。組立家具は、部材の組み合わせによって様々な形状の家具を組み上げることができるため、子供の思考能力の向上、想像力の向上などに寄与することができる。
【先行技術文献】
【特許文献】
【０００５】
【特許文献１】実用新案登録第３１１７０６０号公報
【特許文献２】特開２００１−９８６６７号公報
【発明の概要】
【発明が解決しようとする課題】
【０００６】
しかしながら、従来の組立家具を子供向けの知育用品として用いる場合、次のような課題があった。
（１）板材を係合させるボルトやナットの殆どは金属製であり、また、ＪＩＳなどで規格化された精度で形成されているので、子供が容易に取り扱うことが難しい。
（２）板材を係合させるボルトやナットは、コスト削減や組立容易性の向上のために、できる限り共通化して少ない種類にするのが一般的であるが、知育用品として用いる場合には、部品どうしの最適な組み合わせを見出させるために、様々な形状のボルトやナットを備えることが望ましい。
（３）子供が興味を引くようなデザイン性に乏しい。
【０００７】
この発明は、前述した事情に鑑みてなされたものであって、取扱いが容易であり、子供であっても容易に係合させることが可能な組立家具用係合部材、およびこれを備えた組立家具キットを提供することを目的とする。
【課題を解決するための手段】
【０００８】
上記の課題を解決するために、本発明の組立家具用係合部材は、組立家具を構成する板材に係合される組立家具用係合部材であって、前記板材の貫通穴に挿通されるボルトと、前記ボルトに螺合するナットと、を少なくとも有し、前記ボルトおよび前記ナットは、全体が樹脂で形成され、前記ボルトはボルト頭頂部と該ボルト頭頂部から延びるボルトネジ部からなり、前記ボルトネジ部の外周面に形成される外ネジは、外径とピッチとの比率が２：１〜４：１の範囲であり、前記ナットの内ネジの内径とピッチとの比率が２：１〜４：１の範囲であることを特徴とする。
【０００９】
また、本発明では、前記ボルトネジ部の外径と、前記ボルトのボルト頭頂部の最大径との比率が１：２〜２：３の範囲であることが好ましい。
【００１０】
また、本発明では、前記ボルトの外ネジは、外径が８〜２４ｍｍの範囲内であり、かつピッチが４〜６ｍｍの範囲内であることが好ましい。
【００１１】
また、本発明では、前記ボルトは、一端が前記ボルト頭頂部に露出し前記ボルトネジ部の内部に延びる空洞を有することが好ましい。
【００１２】
また、本発明では、前記ナットは、ナット頭頂部と、該ナット頭頂部から延びるナットネジ部とを有し、前記ナットネジ部の内部に前記内ネジが形成されていることが好ましい。
【００１３】
また、本発明では、前記ボルトの前記外ネジ、および前記ナットの前記内ネジは、ネジ山の断面が半円形を成すことが好ましい。
【００１４】
また、本発明では、前記ボルトの前記ボルト頭頂部は、外形が六角柱、四角柱、三角柱、円柱のうちのいずれになるように形成されていることが好ましい。
【００１５】
また、本発明では、前記ボルトは穴付きボルトであることが好ましい。
【００１６】
また、本発明では、前記組立家具用係合部材は、全体が樹脂で形成され前記板材どうしを接続する接続具を更に有し、前記接続具は、前記ボルト頭頂部の外形に沿った形状で凹み、前記ボルト頭頂部の少なくとも一部を受け入れる溝部と、該溝部の底面に形成され前記ボルトネジ部を貫通可能な穴部とを有するボルト受け部を備えることが好ましい。
【００１７】
また、本発明では、前記接続具は、複数の前記板材どうしが互いに直交するように固定することが好ましい。
【００１８】
本発明の組立家具キットは、前記各項記載の組立家具用係合部材と、前記板材とを少なくとも備えたことを特徴とする。
【００１９】
また、本発明では、前記板材には複数の前記貫通穴が配列形成され、前記貫通穴どうしの形成ピッチは５０〜１１５ｍｍの範囲であることが好ましい。
【００２０】
また、本発明では、前記組立家具用係合部材は、前記ボルト頭頂部の形状が異なる３種類以上の前記ボルトを有することが好ましい。
【００２１】
また、本発明では、前記組立家具用係合部材は、互いに異なる３色以上の色でそれぞれ着色された複数の前記ボルトを含むことが好ましい。
【発明の効果】
【００２２】
本発明によれば、取扱いが容易であり、子供であっても容易に係合させることが可能な組立家具用係合部材、およびこれを備えた組立家具キットを提供できる。
【図面の簡単な説明】
【００２３】
【図１】本発明の一実施形態の組立家具用係合部材を備えた組立家具キットの使用状態を示す外観斜視図である。
【図２】板材の一例を示す平面図である。
【図３】ボルトの一例を示す上面図および断面図である。
【図４】ボルトの他の一例を示す上面図および側面図である。
【図５】ナットの一例を示す上面図および断面図である。
【図６】ナットの他の一例を示す上面図および断面図である。
【図７】ナットの頭頂部の変形例を示す斜視図である。
【図８】接続具の一例を示す外観斜視図である。
【図９】接続具の他の一例を示す外観斜視図である。
【図１０】ボルトやナットを回転させる工具の一例を示す斜視図である。
【図１１】本発明の組立家具キットの他の使用状態（組立例）を示す斜視図である。
【図１２】本発明の組立家具キットの他の使用状態（組立例）を示す斜視図である。
【図１３】本発明の組立家具キットの他の使用状態（組立例）を示す斜視図である。
【図１４】本発明の組立家具キットの他の使用状態（組立例）を示す斜視図である。
【発明を実施するための形態】
【００２４】
以下、図面を参照して、本発明の一実施形態の組立家具用係合部材、およびこれを備えた組立家具キットについて説明する。なお、以下に示す各実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００２５】
（第１実施形態）
図１は、本発明の一実施形態の組立家具用係合部材を備えた組立家具キットの使用状態を示す外観斜視図である。なお、本実施形態では、組立家具キットの使用状態の一例として、本棚を組み上げた状態を示している。
本発明の組立家具キットによって作成した本棚１０は、複数の板材１１Ａ〜１１Ｉと、これら板材１１Ａ〜１１Ｉに係合される複数の組立家具用係合部材１２とを備えている。
板材１１Ａ〜１１Ｉは、例えば木材から形成されている。板材１１Ａ〜１１Ｉを構成する木材としては、例えば、杉、ヒノキなどの無垢材、集成材、単板積層材、合板、パーティクルボード)、ファイバーボードなどが挙げられる。
あるいは、板材１１Ａ〜１１Ｉを、例えば樹脂板や金属板で形成することもできる。
【００２６】
板材１１Ａ〜１１Ｉのうち、板材１１Ａ，１１Ｂは、この本棚１０の側板を構成している。また、板材１１Ｃ〜１１Ｆは棚板を構成している。また、板材１１Ｇ，１１Ｈは仕切板を、板材１１Ｉは背板をそれぞれ構成している。これら板材１１Ａ〜１１Ｉのうち、板材１１Ａ，１１Ｂは、厚み方向に貫通する複数の貫通穴２１，２１…が所定のピッチで配列形成されている。
【００２７】
図２は、板材１１Ａ，１１Ｂの一例を示す平面図である。板材１１Ａ，１１Ｂは、例えば略長方形板状を成し、長辺の長さＭＬは８００ｍｍ〜１０００ｍｍ、短辺の長さＭＳは３００ｍｍ〜４００ｍｍ、厚みＴ１は５ｍｍ〜２５ｍｍ、好ましくは１０ｍｍ〜２０ｍｍの範囲にそれぞれ形成されている。
【００２８】
板材１１Ａ，１１Ｂには、例えば、貫通穴２１が長辺方向に１列１２個で短辺方向に４列配列されている。それぞれの貫通穴２１は、例えば断面円形や断面長円形に形成されている。貫通穴２１の寸法例としては、直径φ１が１４ｍｍ〜２５ｍｍの範囲である。より好ましくは１７〜２２ｍｍの範囲である。また、隣接する貫通穴２１どうしのピッチＭＰは、５０ｍｍ〜１１５ｍｍ、好ましくは６４ｍｍ〜９５ｍｍの範囲である。板材１１Ａ，１１Ｂの端部にある貫通穴２１の中心と、板材１１Ａ，１１Ｂの端部（長辺、短辺）との距離ＭＧは、２４ｍｍ〜４４ｍｍ、好ましくは２７ｍｍ〜３８ｍｍの範囲である。
【００２９】
また、板材１１Ｃ〜１１Ｆは、両方の短辺に沿って貫通穴２１が形成され、更に両方の長辺に沿って貫通穴２１として長穴が形成されている。
【００３０】
組立家具用係合部材１２は、ボルト３１，ナット３２，接続具３３などから構成されている。ボルト３１，ナット３２，接続具３３は、それぞれ全体が樹脂によって一体に成形されている。樹脂としては、硬質樹脂、例えば、ポリエチレン樹脂、ポリプロピレン樹脂、ポリスチレン樹脂、塩化ビニル樹脂、ＰＥＴ樹脂、ナイロン樹脂などを用いることができる。
【００３１】
組立家具用係合部材１２の全体を樹脂によって構成することで、例えばボルト３１，ナット３２，接続具３３などを任意の色に着色することができ、例えば、赤色、青色、黄色など複数の原色に着色することで、使用者である子供の興味を引くことができる。また、樹脂を用いることによって、組立家具用係合部材１２の軽量化を図ることができる。更に、組立家具用係合部材１２を樹脂によって構成することで、金属などと比較して手触りが良く、表面を粗面にするなどの表面加工も容易である。
【００３２】
ボルト３１，ナット３２，接続具３３を構成する樹脂として、着色樹脂を用いることで、互いに異なる複数の色、例えば３色以上に着色されていることが好ましい。特に、互いに色の異なる赤色、青色、黄色などの明るい原色に着色した複数の組立家具用係合部材１２を混在させることで、組立家具キットの想定使用者である子供の視角的な興味を引くことができる。
【００３３】
また、ボルト３１，ナット３２，接続具３３を構成する樹脂の表面に微細な凹凸を形成し、表面を租面にすることも好ましい。これにより、ボルト３１，ナット３２，接続具３３の手触りが良くなるとともに、把持した時の滑り止めの効果を得ることもできる。また、ボルト３１とナット３２とを螺合させた際に、内ネジと外ネジとの接触面積が減少し、少ない力でスムーズに螺合させることができる。
【００３４】
図３は、ボルト３１の一例を示す上面図（図３（ａ））、側面図（図３（ｂ））および断面図（図３（ｃ）である。
組立家具用係合部材１２であるボルト３１は、ボルト頭頂部３１Ａとここから延びるボルトネジ部３１Ｂとを備えている。ボルト頭頂部３１Ａは、外形が六角柱、四角柱、三角柱、円柱などの形状に形成されている。即ち、ボルト３１は、六角ボルト、四角ボルト、三角ボルトなどが混在している（図１参照）。
【００３５】
組立家具キットにこれらボルト頭頂部３１Ａの形状にそれぞれ合わせた樹脂製のレンチなどを備えることによって、使用者である子供がボルト頭頂部３１Ａの形状に合わせて最適なレンチを選択するといった思考力を伸ばすことができる。
なお、図３に示す実施形態では、ボルト頭頂部３１Ａの形状を六角柱にしている。これにより、六角レンチなどでボルト３１を回動させることができる。
【００３６】
ボルト３１は、穴付きボルトであっても良い。即ち、ボルト頭頂部３１Ａからボルトネジ部３１Ｂに向かって所定の深さの凹部３１Ｎを形成し、この凹部３１Ｎの形状を六角柱、四角柱、三角柱、十字形などにすることもできる。図３に示す実施形態では、凹部３１Ｎの形状を十字形にしている。これにより、十字ドライバなどでボルト３１を回動させることができる。
【００３７】
なお、ボルト３１を穴付きボルトにする場合、ボルト頭頂部３１Ａの外形形状を円筒状や円板状にすることもできる。例えば、図４（ａ）の上面図、図４（ｂ）の側面図に示すボルト３１では、ボルト頭頂部３１Ａを薄い円板状に形成し、内側に十字形の凹部３１Ｎを形成することで、平ボルト（薄板状ボルト）としている。
【００３８】
また、ボルト３１には、ボルト頭頂部３１Ａからボルトネジ部３１Ｂの内部に至る空洞３１Ｓを形成することもできる。即ち、図３に示す実施形態では、この空洞３１Ｓは、一端がボルト頭頂部３１Ａの凹部３１Ｎに露出してボルトネジ部３１Ｂの内部に広がる円筒形の空洞である。このように、ボルト頭頂部３１Ａの凹部３１Ｎと連通した空洞３１Ｓを形成することによって、ボルト３１を軽量化することができ、ボルト３１の取扱い性を向上させることができる。
【００３９】
ボルト３１のボルトネジ部３１Ｂの外周面には、外ネジ３１Ｒが形成されている。外ネジ３１Ｒのネジ山は、延長方向に直角な断面が、例えば半円形を成すように形成されている。外ネジＲのネジ山の断面を、例えば半円形にすることによって、鋭角な角部が無くなり、手触りが良くなって使用者である子供の興味を引くことができる。
【００４０】
このようなボルト３１は、外ネジ３１Ｒの外径Ｄ１とピッチΔ１との比率が２：１〜４：１の範囲になるように形成されている。こうした比率は、一般的なＪＩＳ規格のボルトと比較して、外ネジ３１Ｒの外径Ｄ１に対するネジ山のピッチΔ１が大きい。これにより、ボルト３１をナット３２に螺合させる際に、回し初めの時点でボルト３１を容易にナット３２のネジ溝に嵌め込むことができ、使用者が子供であっても、ボルト３１をナット３２とを簡単に螺合させることができる。また、ネジ山のピッチΔ１が大きいことで、少ない回転数でボルト３１をナット３２とが完全に螺合するので、使用者が子供であっても容易にボルト３１をナット３２とを螺合させることができる。
【００４１】
また、ボルト３１は、ボルトネジ部３１Ｂの外径Ｄ１と、ボルト頭頂部３１Ａの最大径Ｄ２との比率が１：２〜２：３の範囲になるように形成することが好ましい。ボルトネジ部３１Ｂの外径Ｄ１ボルト頭頂部３１Ａの最大径Ｄ２とを上述した比率範囲で形成することにより、ボルト３１全体が一般的なＪＩＳ規格のボルトと比較して、膨らんだような形状になり、使用者である子供の興味を引くことができる。
【００４２】
ボルト３１各部の具体的な寸法例としては、ボルト３１の外ネジ３１Ｒは、外径Ｄ１が８ｍｍ〜２４ｍｍの範囲内であり、より好ましくは外径Ｄ１が１２ｍｍ〜２２ｍｍの範囲内である。また、ボルト３１の外ネジ３１Ｒは、ピッチΔ１が４ｍｍ〜６ｍｍの範囲内である。
【００４３】
また、ボルト３１の外ネジ３１Ｒの長さＬ１は、５〜５０ｍｍである。なお、図４に示すように、ボルト３１が平ボルト（薄板状ボルト）の場合には、外ネジ３１Ｒの長さＬ１を板材１１Ａ〜１１Ｉの厚みと同一にすることも好ましい。
【００４４】
ボルト３１のボルト頭頂部３１Ａは、最大径Ｄ２が２２ｍｍ〜３８ｍｍの範囲内であり、より好ましくは最大径Ｄ２が２５ｍｍ〜３４ｍｍの範囲内である。また、ボルト３１のボルト頭頂部３１Ａは、高さ（厚み）Ｈ１が２ｍｍ〜２２ｍｍの範囲内であり、より好ましくは高さ（厚み）Ｈ１が３ｍｍ〜１６ｍｍの範囲内である。
【００４５】
図５は、ナットの一例を示す上面図（図５（ａ））、および断面図（図５（ｂ）である。
組立家具用係合部材１２であるナット３２の一例のナット３２１は、外形が例えば六角柱を成し、内穴の内周面には内ネジ３２１Ｒが形成されている。内ネジ３２１Ｒのネジ山は、延長方向に直角な断面が、例えば半円形を成すように形成されている。
【００４６】
このようなナット３２１の内ネジ３２１Ｒは、ボルト３１の外ネジ３１Ｒに螺合可能なピッチΔ２に形成され、かつ、内ネジ３２１Ｒの内径Ｄ３とピッチΔ２との比率が２：１〜４：１の範囲になるように形成されている。こうした比率は、一般的なＪＩＳ規格のナットと比較して、内ネジ３２１Ｒの内径Ｄ３に対するネジ山のピッチΔ２が大きい。これにより、ボルト３１をナット３２１に螺合させる際に、回し初めの時点でボルト３１を容易にナット３２１のネジ溝に嵌め込むことができ、使用者が子供であっても、ボルト３１とナット３２１とを簡単に螺合させることができる。
【００４７】
ナット３２１各部の具体的な寸法例としては、ナット３２１の内ネジ３２１Ｒは、内径Ｄ３が８ｍｍ〜２４ｍｍの範囲内であり、より好ましくは内径Ｄ３が１２ｍｍ〜２２ｍｍの範囲内である。また、ナット３２１の内ネジ３２１Ｒは、ピッチΔ２が４ｍｍ〜６ｍｍの範囲内である。
【００４８】
また、ナット３２１は、最大外径Ｄ４が２４ｍｍ〜３６ｍｍの範囲内であり、より好ましくは最大外径Ｄ４が２８ｍｍ〜３４ｍｍの範囲内である。また、ナット３２１の高さ（厚み）Ｈ２は８ｍｍ〜２０ｍｍの範囲内であり、より好ましくは高さ（厚み）Ｈ２は１０ｍｍ〜１６ｍｍの範囲内である。
【００４９】
なお、こうしたナット３２１の外形形状は、図５に示す六角柱以外にも、ボルト３１のボルト頭頂部３１Ａと同様に、四角柱、三角柱、円柱などの形状に形成することもできる。
【００５０】
図６は、ナットの他の一例を示す上面図（図６（ａ））、および断面図（図６（ｂ）である。
ナット３２の他の一例であるナット３２２は、ナット頭頂部３２２Ａと、このナット頭頂部３２２Ａから延びるナットネジ部３２２Ｂとを有し、ナットネジ部３２２Ｂの内部に形成された開口に内ネジ３２２Ｒが形成されている。
【００５１】
ナット頭頂部３２２Ａは、外形が例えば六角柱を成し、内側に十字形の凹部３２２Ｎが形成されている。これにより、ナット３２２は、ナット頭頂部３２２Ａの外側に嵌合可能な六角レンチを用いて回転させたり、また、十字形の凹部３２２Ｎに嵌合可能な十字ドライバーを用いて回転させることができる。
【００５２】
ナットネジ部３２２Ｂは、長さＬ２が板材１１Ａ〜１１Ｉの厚みと同一になるように形成されていることが好ましい。また、内ネジ３２２Ｒが形成されたナットネジ部Ｂの内部空間と、ナット頭頂部３２２Ａに形成された十字形の凹部３２２Ｎとは、互いに連通するように構成されていても良い。
【００５３】
なお、ナット頭頂部３２２Ａに形成される凹部３２２Ｎは、図６のように十字形に形成する以外にも、例えば六角形、四角形、三角形などに形成して、使用者である子供に適切な回転工具（ドライバー）を選択させるようにすることも好ましい。
【００５４】
このようなナット３２２の内ネジ３２２Ｒは、ボルト３１の外ネジ３１Ｒに螺合可能なピッチΔ３に形成され、かつ、内ネジ３２２Ｒの内径Ｄ５とピッチΔ３との比率が２：１〜４：１の範囲になるように形成されている。こうした比率は、一般的なＪＩＳ規格のナットと比較して、内ネジ３２２Ｒの内径Ｄ５に対するネジ山のピッチΔ３が大きい。これにより、ボルト３１をナット３２２に螺合させる際に、回し初めの時点でボルト３１を容易にナット３２２のネジ溝に嵌め込むことができ、使用者が子供であっても、ボルト３１とナット３２２とを簡単に螺合させることができる。
【００５５】
ナット３２２各部の具体的な寸法例としては、ナット３２１のナットネジ部３２２Ｂに形成された内ネジ３２２Ｒは、内径Ｄ５が８ｍｍ〜２４ｍｍの範囲内であり、より好ましくは内径Ｄ５が１２ｍｍ〜２２ｍｍの範囲内である。また、ナット３２２の内ネジ３２２Ｒは、ピッチΔ３が４ｍｍ〜６ｍｍの範囲内である。また、ナットネジ部３２２Ｂの長さ（内ネジ３２２Ｒの長さ）Ｌ２は６ｍｍ〜２６ｍｍの範囲内であり、より好ましくは長さＬ２が１１ｍｍ〜２１ｍｍの範囲内である。
【００５６】
また、ナット３２２のナット頭頂部３２２Ａは、最大外径Ｄ６が２４ｍｍ〜３６ｍｍの範囲内であり、より好ましくは最大外径Ｄ６が２８ｍｍ〜３４ｍｍの範囲内である。また、ナット３２２のナット頭頂部３２２Ａの高さ（厚み）Ｈ３は８ｍｍ〜２０ｍｍの範囲内であり、より好ましくは高さ（厚み）Ｈ３は１０ｍｍ〜１６ｍｍの範囲内である。
【００５７】
なお、こうしたナット３２２の外形形状は、図６に示す六角柱以外にも、ボルト３１のボルト頭頂部３１Ａと同様に、四角柱、三角柱、円柱などの形状に形成することもできる。
【００５８】
また、ナット３２２のナット頭頂部３２２Ａの形状を文字、任意の図形、機能性形状にすることも好ましい。例えば、図７（ａ）では、ナット３２３のナット頭頂部を星形の図形３２３Ａにしている。また、例えば図７（ｂ）では、ナット３２４のナット頭頂部を機能性形状であるフック形状３２４Ａにしている。更に、例えば図７（ｃ）では、ナット３２５のナット頭頂部を機能性形状である小物入れの形状３２５Ａにしている。
【００５９】
こうしたナット３２３〜３２５は、板材１１Ａ〜１１Ｉに形成された任意の位置の貫通穴２１に、それぞれナットネジ部３２３Ｂ，３２４Ｂ，３２５Ｂを貫通させ、ボルト３１を用いて係合させることができる。
このようにナットの頭頂部の形状を文字、任意の図形、機能性形状にすることによって、組立家具キットによって作成した本棚１０のデザイン性を高めたり、本棚１０に小物を引っ掛けるなど機能性を高めることができる。
【００６０】
図８は、接続具の一例を示す外観斜視図である。
組立家具用係合部材１２である接続具３３の一例のＬ字固定具（接続具）３３１は、互いに直交する一面側固定部３３１Ａと他面側固定部３３１Ｂを有する。この一面側固定部３３１Ａと他面側固定部３３１Ｂには、それぞれボルト３１のボルト頭頂部３１Ａの外形に沿った形状で凹み、ボルト頭頂部３１Ａの少なくとも一部を受け入れる溝部３３２と、この溝部３３２の底面３３２ｂに形成されて、ボルト３１のボルトネジ部３１Ｂを貫通可能な穴部３３３とを有している。
【００６１】
こうしたＬ字固定具（接続具）３３１は、２枚の板材１１Ａ〜１１Ｉを互いに直角に固定させることができる。例えば、本棚１０では、側板を成す板材１１Ａ，１１Ｂと棚板を成す板材１１Ｃ〜１１Ｆとを互いに直角に固定するために用いられている。
【００６２】
そして、図８に示すＬ字固定具（接続具）３３１では、ボルト３１のボルト頭頂部３１Ａが六角柱を成す六角ボルトに対応して、溝部３３２が六角形を成す凹み形状にされている。ボルト３１のボルト頭頂部３１Ａを溝部３３２に入れることによって、ボルト３１の回転止めの役割を果たす。
【００６３】
これにより、Ｌ字固定具（接続具）３３１をボルト３１及びナット３２によって板材１１Ａ〜１１Ｉに固定する際に、ボルト３１のボルト頭頂部３１Ａをスパナなどで保持しなくても、ナット３２を回転させるだけで、Ｌ字固定具（接続具）３３１を容易に板材１１Ａ〜１１Ｉに固定することができる。
なお、図８に示すＬ字固定具（接続具）３３１では、六角ボルトに合わせて溝部３３２を六角形を成す凹み形状にしているが、ボルト３１のボルト頭頂部３１Ａの形状に合わせて四角形の凹み形状、あるいは三角形の凹み形状などにすることもできる。
【００６４】
このようなＬ字固定具（接続具）３３１各部の具体的な寸法例としては、一面側固定部３３１Ａおよび他面側固定部３３１Ｂの板材に対する接触面での長さＬ３は、４０ｍｍ〜６５ｍｍの範囲内であり、より好ましくは長さＬ３は４４ｍｍ〜５７ｍｍの範囲内である。
【００６５】
また、一面側固定部３３１Ａと他面側固定部３３１Ｂの直交する角部と穴部３３３の中心との距離Ｌ４は、２４ｍｍ〜４４ｍｍの範囲内であり、より好ましくは長さＬ４は２７ｍｍ〜３８ｍｍの範囲内である。
【００６６】
なお、この距離Ｌ３は、板材１１Ａ〜１１Ｉに形成された貫通穴２１，２１…のうち、板材１１Ａ〜１１Ｉの四辺に隣接する貫通穴２１の中心と、板材１１Ａ〜１１Ｉの隣接する一辺との間の距離ＭＧと同一にすることが好ましい。
これにより、Ｌ字固定具（接続具）３３１の一面側固定部３３１Ａと他面側固定部３３１Ｂとが直交する角部が、板材１１Ａ〜１１Ｉの四辺のそれぞれから突出することなく、Ｌ字固定具（接続具）３３１を板材１１Ａ〜１１Ｉに取り付けることができる。
【００６７】
図９は、接続具の他の一例を示す外観斜視図である。
組立家具用係合部材１２である接続具３３の一例の仕切固定具（接続具）３３５は、互いに水平方向および垂直方向にそれぞれ直交するように板材を保持する第１挟持部３３５Ａと第２挟持部３３５Ｂとを有する。この第１挟持部３３５Ａおよび第２挟持部３３５Ｂは、板材１１Ａ〜１１Ｉを厚み方向で挟持可能な略コ字形に形成されている。
【００６８】
第１挟持部３３５Ａは、ボルト３１のボルト頭頂部３１Ａの外形に沿った形状で凹み、ボルト頭頂部３１Ａの少なくとも一部を受け入れる溝部３３６と、この溝部３３６の底面３３６ｂに形成されて、ボルト３１のボルトネジ部３１Ｂを貫通可能な穴部３３７とを有している。一方、第２挟持部３３５Ｂは、板材１１Ａ〜１１Ｉを摺動可能に挟持するだけで、ポルト３１を貫通させるための穴などは形成されない。
【００６９】
こうした仕切固定具（接続具）３３５は、２枚の板材１１Ａ〜１１Ｉを互いに水平方向および垂直方向にそれぞれ直交するように固定させることができる。例えば、本棚１０では、仕切板を成す板材１１Ｇ，１１Ｈに仕切固定具（接続具）３３５の第１挟持部３３５Ａをボルト３１およびナット３２によって固定し、第２挟持部３３５Ｂを棚板を成す板材１１Ｃ〜１１Ｆに嵌め込むことで、仕切板を成す板材１１Ｇ，１１Ｈを棚板を成す板材１１Ｃ〜１１Ｆの長さ方向に沿って任意の位置に移動可能に載置することができる。
【００７０】
図１０は、ボルトやナットを回転させる工具の一例を示す斜視図である。
図１０（ａ）に示すように、本発明の組立家具キットには、ボルトやナットを回転させるドライバー（工具）４０が付属する。
ドライバー４０は、作用部４１が例えば十字形を成し、図３に示すボルト（穴付きボルト）３１のボルト頭頂部３１Ａに形成された十字形の凹部３１Ｎに作用部４１を嵌合させてボルト３１を回転させたり、図６に示すナット３２２のナット頭頂部３２２Ａに形成された十字形の凹部３２２Ｎに作用部４１を嵌合させてナット３２２を回転させたりするのに用いることができる。
【００７１】
こうしたドライバー（工具）４０は、作用部４１を支持する取っ手である把持部４２が楕円球状に形成されている。把持部４２を楕円球状に形成することによって、使用者が手の小さい子供であっても把持しやすく、容易にボルト３１やナット３２２を回転させることができる。ドライバー４０は、例えば全体が硬質樹脂によって構成されていればよい。
【００７２】
また、図１０（ｂ）に示すように、本発明の組立家具キットには、ボルトやナットを回転させるレンチ（工具）５０が付属する。
レンチ５０は作用部５１に例えば六角形の開口が形成され、図３に示すボルト３１の六角柱のボルト頭頂部３１Ａに作用部５１を嵌合させてボルト３１を回転させたり、図５に示すナット３２１や図６に示すナット３２２のナット頭頂部３２２Ａに嵌合させてナット３２１，３２２を回転させたりするのに用いることができる。こうしたレンチ５０は、例えば全体が硬質樹脂によって構成されていればよい。
【００７３】
レンチ５０の作用部５１は、図１０（ｂ）に示す六角形以外にも、ボルト３１のボルト頭頂部３１Ａの外形形状やナット３２の形状に合わせて、四角形や三角形などに形成することもできる。また、複数の形状のボルト３１やナット３２に合わせて、作用部５１の形状が異なる複数種類のレンチ５０を添付することも好ましい。これによって、使用者である子供が、ボルト３１やナット３２の形状に合致するレンチ５０を見出して使用するといった能力を向上させることに寄与する。
【００７４】
本発明の組立家具キットの他の使用状態（組立例）を図１１〜図１４に示す。
図１１は、ハンガー棒を付加することによって、子供用のハンガー付きテーブルを組み立てた組立例である。
図１２は、Ｌ字形の取っ手状部材と、車輪とを付加することによって、子供用の移動可能な玩具箱を組み立てた組立例である。
図１３は、幅および長さの大きい棚板を座板として使用することによって、子供用の椅子を組み立てた組立例である。
図１４は、樹脂製の回転板や抽斗を付加することによって、扉や抽斗付きの子供用の収納家具を組み立てた組立例である。
【００７５】
なお、本発明の組立家具キットは、上述した使用状態（組立例）に限定されるものでは無く、任意の組み合わせによって、様々な形状の家具を組み立てることが可能である。
【００７６】
以上、本発明の実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７７】
１０…本棚（組立家具キット）
１１Ａ〜１１Ｉ…板材
１２…組立家具用係合部材
２１…貫通穴
３１…ボルト
３２…ナット
３３…接続具
【図１】
2020008152.tif 000003
【図２】
2020008152.tif 000004
【図３】
2020008152.tif 000005
【図４】
2020008152.tif 000006
【図５】
2020008152.tif 000007
【図６】
2020008152.tif 000008
【図７】
2020008152.tif 000009
【図８】
2020008152.tif 000010
【図９】
2020008152.tif 000011
【図１０】
2020008152.tif 000012
【図１１】
2020008152.tif 000013
【図１２】
2020008152.tif 000014
【図１３】
2020008152.tif 000015
【図１４】
2020008152.tif 000016